(57)【要約】【課題】記録媒体のシートをさばき供給する装置において、アームと前送りヘッドが、カセットの引き抜きと差し込みのためのより大きな自由スペースを得られるようにする。【解決手段】パイルを収めたカセットを差し込み、引き出すことができるように、ロック解除機構を設け、その機構はカセットによって作動されるものとする。そのためにアーム２２はキャリッジ２８に取り付けられ、このキャリッジが引っ張りバネ３２によってロック解除ポジションに引っ張られるものとする。さらにこのキャリッジ２８にスライダ４４を設け、このスライダはアーム２２をスプリング力によって持ち上げる。カセットによって、作動ピン５８がロック解除機構に差し込まれる。このピン５８はキャリッジ２８をバネ３２の力に対抗してアーム２２の作動ポジションにスライドさせ、そしてスライダ４４を、アーム２２をパイルへの降下のためロック解除するポジションにスライドさせる。【選択図】  図６
2006052090.tif 000002
【特許請求の範囲】
【請求項１】
記録媒体のシートをさばき供給する装置であって、第１に収容スペースに差し込み可能なカセットを備え、このカセットはシートをほぼ水平なパイルの状態で収め、上り勾配のスロープを備え、パイルはその供給方向末端がこのスロープに接触し、第２にはアームを備え、このアームは収容スペースの内壁に旋回可能な状態で取り付けられて、差し込まれたカセットのパイルの上に突出し、第３にはアームの自由な末端に設けられた前送りヘッドを備え、この前送りヘッドはアームの旋回によって、パイルの上に降下し、パイルから持ち上げられ、第４には前送りヘッドに取り付けられた前送りローラを少なくとも１つ備え、この前送りローラは、前送りヘッドが降下したときパイルの１番上のシート上に載り、１番上のシートをスロープにそって押し上げてさばくためにこの前送りローラを駆動でき、第５にはロック解除機構を備え、カセットを収容スペースから出すときは、このロック解除機構がアームをパイルから持ち上げ、またカセットを収容スペースに差し込むことによりロック解除機構は作動されて、パイル上に降下させるためアームをロック解除する、上記の装置において、
アーム（２２）が旋回可能な状態でキャリッジ（２８）に取り付けられ、このキャリッジは、パイル（１０）の表面にほぼ平行に案内されて運動できる状態で、内壁（１４）に設けられ、またこのキャリジは、スプリング力（３２）によってスロープ（１６）から離れる方向に動かされることと、前記キャリッジ（２８）にはスライダ（４４）が案内されて運動できる状態で設けられ、このスライダは前記アーム（２２）に作用し、かつこのスライダはスプリング力（５０）の初期応力によって、前記アーム（２２）を持ち上げるポジションに置かれることと、カセット（１２）に設けられた少なくとも１つの作動用突起が、前記カセット（１２）を差し込むとき前記キャリッジ（２８）に作用し、このキャリッジをスプリング力に対抗してスロープに向かって動かし、前記スライダ（４４）に作用し、スプリング力（５０）に対抗してこのスライダを、前記アーム（２２）をロック解除するポジションに動かすこととを特徴とする、装置。
【請求項２】
前記作動用突起が、前記カセット（１２）から差し込み方向に突起するピン（５８）として形成され、このピンがくさび面（４２または６０）を介して前記キャリッジ（２８）と前記スライダ（４４）に作用することを特徴とする、請求項１に記載の装置。
【請求項３】
前記キャリッジ（２８）が前記ピン（５８）のための貫通穴（４０）を備えることと、前記貫通穴（４０）の中に前記くさび面（４２）が形成され、前記ピン（５８）は前記貫通穴（４０）に差し込まれるとき、このくさび面を押して、前記キャリッジ（２８）を前記スプリング力（３２）に対抗して移動させることとを特徴とする、請求項２に記載の装置。
【請求項４】
前記ピン（５８）は円錐形の先端（６０）を備え、この先端が作動用穴（５６）に差し込まれ、前記スライダ（４４）をスライドさせるためのくさび作用を生じることを特徴とする、請求項２または３に記載の装置。
【請求項５】
前記作動用穴（５６）はプッシュプレート（５４）に形成され、このプッシュプレートはスライド可能な状態で前記キャリッジ（２８）に取り付けられ、前記キャリッジ（２８）の前記貫通穴（４０）と重なり合う位置にもたらすことができることと、前記プッシュプレート（５４）は旋回可能なレバー（５２）を介して前記スライダ（５４）と連結されていることとを特徴とする、請求項４に記載の装置。
【請求項６】
前記レバー（５２）が２アーム型のレバーとして形成され、前記プッシュプレート（５４）のスライドストロークを、前記スライダ（４４）のより大きなスライドストロークに変換することを特徴とする、請求項５に記載の装置。
【請求項７】
前記アーム（２２）と平行ロッド（３６）とが、前送りヘッド（１８）のための平行案内具を形成することと、前記平行ロッド（３６）は前記キャリッジ（２８）におけるベアリング（３８）を越えて延長されていることと、前記スライダ（４４）が前記平行ロッド（３６）のこの延長された末端（４８）に作用することとを特徴とする、前記各請求項のいずれかに記載の装置。
【請求項８】
前記延長された末端（４８）は前記スライダ（４４）の長い穴（４６）を貫通し、ロック解除ポジションではこの長い穴（４６）の中を自由に動くことができ、前記スライダ（４４）が前記スプリング力（５０）の下で、前記アーム（２２）を持ち上げるポジションに動かされるときは、前記延長された末端が長い穴（４６）の末端に把握されることを特徴とする、請求項７に記載の装置。
【発明の詳細な説明】
【技術分野】
【０００１】
本発明は、請求項１の上位概念に記載する、記録媒体のシートをさばき供給する装置に関する。
【背景技術】
【０００２】
この種類の装置における公知の装置の場合、記録媒体のシートは、ほぼ水平なパイルとしてカセットにストックされる。このカセットは、たとえば事務機または事務機のためのシート供給機器の収容スペースに差し込まれる。パイルの上には、前送りヘッドの駆動可能な前送りローラが載っており、この前送りローラはパイルにおけるそのときどきに１番上のシートを、カセットの上り勾配のスロープに向かって押す。その結果シート前端はスロープにそって上昇し、パイルの次のシートから分離される。こうしてさばかれた１番上のシートは、次に搬送手段に把握され、事務機、たとえば印刷機、コピー機などに供給される。前送りヘッドはアームの自由な末端に取り付けられ、このアームは、旋回可能な状態で収容スペース内壁に取り付けられて、供給方向を横切ってパイルの上に突出する。旋回可能なアームを用いて、前送りヘッドはパイルの高さの減少に追随することができる（例えば、特許文献１）。
【０００３】
【特許文献１】独国特許第１９９５０３０７号明細書
【発明の開示】
【発明が解決しようとする課題】
【０００４】
上記の装置において、カセットを交換する場合またはシートの新しいパイルを装入したい場合、収容スペースからカセットを引き抜き、ふたたび収容スペースに差し込むことができるためには、アームを前送りヘッドとともに持ち上げなければならない。これは、前送りヘッドの下のカセットを引き抜くことができるように、そして必要ならば新しいパイルを前送りヘッドの下にふたたび差し込むことができるようにするためである。このため公知の装置は、リフトレバーを持つロック解除機構を備える。このリフトレバーは差し込まれたかセットによって旋回されるので、アームをロック解除し、パイルの上に降下させることができる。カセットは引き抜かれると、リフトレバーをロック解除し、リフトレバーはバネの作用の下で旋回し、アームを前送りヘッドとともに持ち上げる。このロック解除機構は、アームと前送りヘッドの上方への持ち上げを生じるだけである。前送りヘッドと前送りローラがカセットのスロープに密着し、このカセットにパイルの前端がぶつかる場合、このような持ち上げでは充分ではない。
本発明の課題は、冒頭に挙げた種類の装置を改善して、アームと前送りヘッドが、カセットの引き抜きと差し込みのためのより大きな自由スペースを得られるようにすることである。
【課題を解決するための手段】
【０００５】
本発明はこの課題を、請求項１の諸内容を持つ装置によって解決する。
本発明の有利な実施形態を、従属請求項に記載した。
【０００６】
本発明による装置の場合、アームと前送りヘッドは、旋回可能な状態でキャリッジに取り付けられ、このキャリッジは収容スペースの内壁で、パイルの表面に平行に移動できる状態で案内されている。このキャリッジにはスライダが取り付けられ、このスライダはアームに作用して、このアームを持ち上げ、あるいは降下させるためアームをロック解除する。したがってアームを、スライダによって上方に持ち上げることができるだけではなく、キャリッジによってスロープを離れる方向に動かすこともできる。この場合キャリッジは、スプリング力による初期応力のもとで、スロープから離れる方向に動き、そしてスライダもスプリング力による初期応力のもとで、アームを持ち上げる。カセットが収容スペース内の動作ポジションから引き抜かれるとき、アームは一方ではバネの負荷がかかっているスライダによって持ち上げられ、他方ではバネの負荷がかかっているキャリッジによってスロープから離れる方向に動く。アームと前送りヘッドはこれによって１つのポジションに来る。すなわちアームと前送りヘッドが、カセットの運動経路から、場合によってはカセットに収容されたパイルから、信頼性を持って完全に取り出されているポジションである。妨げられずにカセットを引き出し、ふたたび差し込むことが可能になっている。カセットは少なくとも１つの作動用突起を備える。カセットがその動作ポジションに差し込まれると、カセットはこの作動用突起がロック解除機構と噛み合う。この作動用突起は、一方ではスプリング力に対抗してキャリッジをスロープの方へと移動させ、他方ではスプリング負荷に対抗してスライダを、スライダがアームをロック解除して加工させるポジションにスライドする。
【０００７】
好ましくはこの作動用突起をピンとして形成し、このピンはカセット差し込み方向を向くカセット外側に設け、この差し込み方向にカセットから突出するものとする。カセットが差し込みの際に動作ポジションに到達すると、このピンがキャリッジに差し込まれ、その際ピンの軸方向差し込み運動が、スプリング初期応力に対抗するキャリッジの移動運動に変換される。さらにこのピンは、差し込みの際にくさび面を介してスライダに作用し、スプリング力に対抗してこのスライダをスライドさせる。
【０００８】
キャリッジとスライダをスライドさせるため、２つの別々な作動用突起を、たとえばピンを使用できることは、すぐ理解できる。１つの好ましい実施形態では、同一のピンを、キャリッジを移動させるためにも、スライダをスライドさせるためにも用いて、その際このピンは、軸方向に動くときキャリッジとスライダに順次続いて作用するものとする。
【０００９】
１つの合目的な実施形態として、キャリッジが案内ロッドの上をスライドすることができるものとする。案内ロッドに取り付けるため、このキャリッジはある程度の材料厚さを持つ。その際キャリッジにくさび面を形成し、このくさび面は上記の材料厚さを持つため、そこからキャリッジの十分なスライドストロークが得られるようにすれば合目的である。
【００１０】
スライダの運動のため、好ましくはレバー式トランスミッションを用いて、ピンのわずかな軸方向ストロークを、スライダのより大きなスライドストロークに変換するものとする。ピンの軸方向ストロークをスライドストロークに変換するくさび面は、このためピンの円錐形先端として形成することができる。
【発明を実施するための最良の形態】
【００１１】
図面に示す実施例を用いて、下記に本発明をさらに詳しく説明する。
事務機、たとえば印刷機、コピー機などに、記録媒体のシート、たとえば枚葉紙を供給するには、これらのシートをパイル１０の形態でストックして準備する。シートのパイル１０はカセット１２の中にほぼ水平に収められ、このカセットは本装置の収容スペースに差し込まれる。この収容スペースは、事務機自体の中に、あるいは別個のシート供給機器を事務機に並べ、または取り付けたものの中に形成することができる。図にはこの収容スペースの内壁１４だけを示す。
【００１２】
カセット１２は、シートの供給方向前端にスロープ１６を備え、このスロープは、パイル表面の垂線に対してほぼ２０〜２５°の角度を取りながら上昇する。パイル１０は、その供給方向前端がこのスロープ１６に接触する。パイル１０の１番上のシートに前送りヘッド１８が載せられ、この前送りヘッドは駆動可能な前送りローラ２０が、パイル１０の１番上のシートに摩擦接触によって作用する。駆動可能な前送りローラ２０は、パイル１０の１番上のシートの前端を、スロープ１６に向かって押す。これにより１番上のシートの前端はスロープ１６にそって上昇し、パイル１０の続くシートから分離される。その結果１番上のシートはさばかれて、事務機のさらなる処理に供給されることが可能となる。前送りヘッド１８はアーム２２の自由な末端に取り付けられ、このアームは、スロープ１６の平面に平行な旋回面を旋回できる状態で、収容スペース内壁１４に取り付けられている。アーム２２は自由に旋回可能なので、前送りヘッド１８は、前送りヘッド１８およびアーム２２の重量の下で、自由な状態でパイル１０の１番上のシートに載っており、パイル１０の高さの変化に追随することができる。前送りローラ２０は、前送りヘッド１８にあって、スプリング力に対抗し、パイル１０の平面の中を旋回可能である。アーム２２および前送りヘッド１８のこのような配置のため、そして前送りローラ２０のバネ初期応力のため、この前送りローラ２０は、１番上のシートの供給方向前端に載っている。そしてこの前送りローラ２０は、駆動されなければ、ある程度のバネ初期応力の下でスロープ１６に接触する。
【００１３】
図１および２に記載するように、カセット１２は平行方向に、そして内壁１４には垂直方向に、収容スペースに差し込まれる。カセット１２とそこに収められたパイル１０とを収容スペースに差し込み、差し込まれたカセットを引き出すことができるためには、次のことが必要である。すなわちカセットを引き出し、差し込むに充分な自由スペースが形成されるよう、アーム２２と前送りヘッド１８とを、パイル１０またはカセット１２から持ち上げなければならない。図１は、このような状態に持ち上げられたアーム２２と前送りヘッド１８とを示す。この図の場合カセット１２は一部が引き出されている。図２は、完全に差し込まれたカセット１２、降下したアーム２２、そしてパイル１０に載せられた前送りヘッド１８を示す。図２に示す動作ポジションで、シートはパイル１０からさばかれて引き出され、事務機に供給される。
【００１４】
下記では、カセット１２が収容スペースから引き出されるとき、本発明でアーム２２と前送りヘッド１８とがどのようにして自動的に持ち上げられるか、そしてカセット１２が収容スペースに差し込まれるとき、どのようにして自動的にパイル１０の上に降下するかを説明する。
【００１５】
収容スペースの内壁１４にロック解除機構を設ける。このロック解除機構はハウジング２４の中に収められ、このハウジングは、適切な固定手段２６により収容スペースの内壁１４に固定されている。
【００１６】
ハウジング２４の中にキャリッジ２８が設けられ、このキャリッジは２本の案内ロッド３０の上をスライドできる状態で案内されている。案内ロッド３０は、たがいに平行かつたがいに間隔を取って、ハウジング２４の中に配置されている。このときこれらの案内ロッドは、内壁１４に平行かつパイル１０の表面に平行に位置する。引っ張りばね３２は、一方ではキャリッジ２８に、他方ではハウジング２４に固定され、キャリッジ２８を案内ロッド３０の上でスロープ１２を離れる方向に引っ張る。キャリッジ２８の収容スペース側を向く面には、斜めに位置しながらアーム２２の旋回面に垂直なベアリング軸３４によって、アーム２２が旋回可能な状態で取り付けられている。さらにはアーム２２より下かつこのアームと平行に、平行ロッド３６が設けられ、この平行ロッドは、ベアリング３８を用いてキャリッジ２８に、旋回可能な状態で取り付けられている。この平行ロッド３６は、アーム２２と同じ旋回面を旋回可能であって、その旋回面に位置する平行案内具をアーム２２とともに形成する。この平行案内具によって、アーム２２の旋回時に前送りヘッド１８が平行移動かつ上下運動する。
【００１７】
案内ロッド３０より下でキャリッジ２８は貫通穴４０を備え、この貫通穴はキャリッジ２８をその平面に垂直に、すなわち内壁１４の垂直方向に貫通する。この貫通穴４０は、スロープ１６側の貫通穴内壁にくさび面４２を形成するが、このくさび面は図９および１０をご覧いただければ最もわかりやすい。くさび面４２は、パイル１０の平面に垂直に設けられ、したがって次のように勾配付けされている。すなわち貫通穴４０が、カセット１２の収容スペースを向く入口側から、内壁１４の側へと次第にせまくなるようにしている。
【００１８】
キャリッジ２８の面のうち内壁１４側にはスライダ４４が設けられ、このスライダはキャリッジ２８のこの面で、アーム２２および平行ロッド３６の旋回面をスライドできる状態で案内されている。スライダ４４は、そのスライド方向に延びる長い穴４６を備え、この長い穴を、ベアリング３８を越えて延びる平行ロッド３６の末端４８が貫通する。スライダ４４の下側末端には引っ張りバネ５０が作用し、この引っ張りバネの他方末端はキャリッジ２８に固定されている。引っ張りバネ５０はスライダ４４をその下側エンドポジションに引っ張る。さらにスライダ４４の下側末端では、キャリッジ２８に旋回可能な状態で取り付けられた２アーム型レバー５２の一方のアームが、揺動連結されている。レバー５２の他方のアームはプッシュプレート５４に揺動連結され、このプッシュプレートは、スライダ４４と平行にスライドできる状態で、キャリッジ２８の面にそって案内されている。プッシュプレート５４は、キャリッジ２８の平面を垂直に貫通する作動用穴５６を備え、この作動用穴は、貫通穴４０の内壁１４を向く出口側と重ね合わせることができる。
【００１９】
カセット１２の外側は、カセット１２を収容スペースに差し込むとき内壁１４を向く。差し込み方向に突出するピン５８を、このカセット外側に備える。このピンはほぼ円筒形で、円錐形を丸み付けした先端６０を持つ。
【００２０】
収容スペースにカセット１２が入っていないとき、またはカセットの一部分だけが収容スペースに差し込まれているとき、本装置は図３、７、９、１１、１２に示すポジションを取る。キャリッジ２８は、引っ張りバネ３２によって案内ロッド３０の上を、シート供給装置とは反対側に引っ張られる。これにより、キャリッジ２８に取り付けられているアーム２２と前送りヘッド１８とは、スロープ１６から離れる方向に引っ張られる。引っ張りバネ５０はスライダ４４を下方に引っ張る。したがって平行ロッド３６の末端４８は、長い穴４６の上側末端に達し、スライダ４４に捕捉されて下方に引っ張られる。平行ロッド３６とアーム２２とは上方に旋回するので、前送りヘッド１８は上昇する。カセット１２を、場合によってはパイル１０とともに、アーム２２と前送りヘッド１８とによって、今や妨げられることなく収容スペースから引き出し、あるいは収容スペースに差し込むことができる。
【００２１】
カセット１２が図３、７、９に示すポジションからさらに収容スペースに差し込まれると、まずピン５８の先端６０が、ハウジング２４の開口部６２を通って貫通穴４０に達する。キャリッジ２８は引っ張りバネ３２によって引き戻された状態にあるので、ピン５８の先端６０は、斜めに切られたくさび面４２に突き当たる。ピン５８を貫通穴４０にさらに差し込むと、ピン５８の先端６０はくさび面４２を押しつけ、これによりキャリッジ２８を引っ張りばね３２の力に対抗して押す。そのためキャリッジ２８に取り付けられたアーム２２と前送りヘッド１８とは、スロープ１６の方へと動く。このポジションを図４に示す。ピン５８が完全に貫通口に差し込まれたとき、キャリッジ２８は、スロープ１６に向かって押されたエンドポジションに達している。ここでピン５８の先端６０は、キャリッジ２８の収容スペース内壁１４側で貫通穴４０から突き出し、プッシュプレート５４の作動用穴５６に達している。図１１に記載するように、まず作動用穴５６が貫通穴４０に向かってスライドされた状態となる。なぜならば引っ張りバネ５０が、レバー５２を介してプッシュプレート５４をもスライドさせたからである。ピン５８をさらにスライドさせると、その円錐形先端６０が作動用穴５６に入る。その際ピン５８は、その円錐形先端６０のくさび作用によって、レバー５２を介して作用する引っ張りバネ５０の力に対抗し、プッシュプレート５４をスライドさせる。そしてこの動作は、ピン５８が完全に作動用穴５６に差し込まれて、この作動用穴が軸方向に貫通穴４０と一直線に並ぶまで行われる。カセット１２が完全に差し込まれたときのこのポジションを、図５、６、８、１０、１３、１４に示す。
【００２２】
このエンドポジションにおいてプッシュプレート５４は、レバー５２を介してスライダ５４を、引っ張りバネ５０の力に対抗して上方に押した状態にある。これにより長い穴４６も上方にスライドした状態にあるので、平行ロッド３６の末端４８は自由に長い穴４６の中を動くことができる。アーム２２と前送りヘッド１８とは、自由に旋回可能な状態で、自重によりカセット１２のパイル１０の上に降下することができる。
前送りヘッド１８がこのように降下するとき、同ヘッドの前送りローラ２０はカセット１２のスロープ１６にぶつかると、前送りローラ２０はこのスロープ１６を下方に転がって、ついにはパイル１０の１番上のシートに接触する。このとき、前送りヘッド１８で前送りローラ２０に作用するバネの初期応力が生じる。
【００２３】
カセット１２が差し込まれたポジションから引き出されるときは、プロセスが逆に行われる。カセット１２を引き出すとき、まずピン５８が、プッシュプレート５４の作動用穴５６から引き出される。これとともにプッシュプレート５４はロック解除され、引っ張りバネ５０はスライダ４４を下方に引っ張ることができる。このときスライダ４４が平行ロッド３６の末端４８に作用し、この末端を下方に引っ張る。これによりアーム２２と前送りヘッド１８は持ち上げられる。カセット１２をさらに引き出すと、ピン５８はキャリッジ２８の貫通穴４０からも引き出される。これによりキャリッジ２８もロック解除され、引っ張りばね３２は、キャリッジと、それにともなってアーム２２および前送りヘッド１８とを、スロープ１６から引き離す。その結果カセット１２は完全にロック解除され、妨げられることなく収容スペースから引き出すことができる。
【図面の簡単な説明】
【００２４】
【図１】カセットが引き抜かれているときの本装置の略図。
【図２】カセットが差し込まれているときの本装置の略図。
【図３】カセットが引き抜かれているときの本装置。ただしカセットは作動用のピンだけを示す。
【図４】図３と同様な図であるが、ピンがロック解除機構に作用している。
【図５】図３と同様な図であるが、カセットが完全に挿入されたもの。
【図６】図５と同様な図であるが、ロック解除機構のハウジングが取り除かれたもの。
【図７】図３のポジションにある装置を外側から見た図。ロック解除機構のハウジングが取り除かれたもの。
【図８】図６のポジションにある装置を外側から見た図。
【図９】カセットが引き抜かれた装置を上から見た略図。
【図１０】図９と同様な図であるが、カセットが挿入されたもの。
【図１１】スライダの作動機構の外観。カセットが引き抜かれたとき。
【図１２】図１１のポジションにある本装置を前から見た図。
【図１３】スライダの作動機構の外観。カセットが挿入されたとき。
【図１４】図１２と同様な図であるが、カセットが挿入されたもの。
【符号の説明】
【００２５】
１０  パイル
１２  カセット
１４  内壁
１６  スロープ
１８  前送りヘッド
２０  前送りローラ
２２  アーム
２４  ハウジング
２６  固定手段
２８  キャリッジ
３０  案内ロッド
３２  引っ張りバネ
３４  ベアリング軸
３６  平行ロッド
３８  ベアリング
４０  貫通穴
４２  くさび面
４４  スライダ
４６  長い穴
４８  ３６の末端
５０  引っ張りバネ
５２  レバー
５４  プッシュプレート
５６  作動用穴
５８  ピン
６０  円錐形先端
６２  ２４の開口部
【図１】
2006052090.tif 000003
【図２】
2006052090.tif 000004
【図３】
2006052090.tif 000005
【図４】
2006052090.tif 000006
【図５】
2006052090.tif 000007
【図６】
2006052090.tif 000008
【図７】
2006052090.tif 000009
【図８】
2006052090.tif 000010
【図９】
2006052090.tif 000011
【図１０】
2006052090.tif 000012
【図１１】
2006052090.tif 000013
【図１２】
2006052090.tif 000014
【図１３】
2006052090.tif 000015
【図１４】
2006052090.tif 000016